(57)【特許請求の範囲】
【請求項１】
多数の並設した長方形状フィンと、これらフィンと直交するように貫通させた冷媒パイプとから構成され、送風機により冷気が被冷却空間との間で吹出し、戻るよう吸い込まれて通風循環する冷却室に配設される熱交換器において、
冷媒パイプが通風方向に対して重ならない傾斜した列を形成するように長方形状フィンに対して長手方向一端側から他端側に向かって同一方向に傾斜して取付けられていることを特徴とする熱交換器。
【発明の詳細な説明】
【０００１】
【発明の属する技術分野】
本発明は、多数の並設したフィンに冷媒パイプが貫通して成る冷蔵庫等の冷却器として用いられる熱交換器の構造に関する。
【０００２】
【従来の技術】
一般に冷蔵庫等は、貯蔵室の奥部に冷却ファンと熱交換器（冷却器）とが配設された冷却室が設けられ、前記冷却ファンにより冷却室に吸い込まれた庫内空気が、熱交換器により冷気とされて貯蔵室に吹き出すよう循環して冷却される構成となっている。
【０００３】
前記冷却室に配される熱交換器は、アルミなど金属製薄板から加工形成した長方形状をした多数のフィンと、このフィンに直交するように貫通させて、上下方向に蛇行させて設けた冷媒パイプとから成る構造をしている。
【０００４】
ここで、熱交換器のフィンと、冷媒パイプとの位置関係に着目すると、従来では、図３に示すように、熱交換器１３のフィン２２に直交し、前後２列に並ぶ上下方向（通風方向）の冷媒パイプ２３は、その各段の冷媒パイプ２３が上から下まで一直線に連なっている配列の仕方、すなわち上下複数段ある冷媒パイプ２３の中心ｐがどれも上下方向で真っ直ぐに一致するという鉛直線方向２７Ｈに配設された構成であった。
【０００５】
【発明が解決しようとする課題】
従って、熱交換器１３に、庫内空気が矢印に示すように下側から吸い込まれ上側から庫内に吐出するといった風Ｗが流れて、その通過中に冷媒パイプ２３と当り熱交換され冷気を発生する時に、上記構造の熱交換器１３であると、風の吸い込み側に最も近い最下段の冷媒パイプ２３ａには、吸い込まれた風は一番良く当り熱交換が良く行われるが、その直ぐ上位の冷媒パイプ２３から最上段の冷媒パイプ２３ｂまでの冷媒パイプ２３が、最下段の冷媒パイプ２３ａの背後に隠れるように位置するため、風との当りが悪く熱交換がうまく行なわれず、熱交換効率が十分に高いものとは言い難かった。
【０００６】
本発明は、上記問題に鑑み成されたもので、冷媒パイプに風が良く当るように工夫した冷媒パイプとフィンとの配置関係と成して、熱交換効率を向上させられるように改良した熱交換器を提供することを目的とするものである。
【０００７】
【課題を解決するための手段】
多数の並設した長方形状フィンと、これらフィンと直交するように貫通させた冷媒パイプとから構成され、送風機により冷気が被冷却空間との間で吹出し、戻るように吸い込まれ循環通風する冷却室に配設される熱交換器において、冷媒パイプが通風方向に対して重ならない傾斜した列を形成するように長方形状フィンに対して長手方向一端側から他端側に向かって同一方向に傾斜して取付けられているものである。
【０００８】
【発明の実施の形態】
以下、本発明の実施態様を図面に基づいて説明する。
【０００９】
図１は、本発明に係る熱交換効率の向上した熱交換器を搭載した冷凍・冷蔵庫の断面図であり、また図２は、その熱交換効率を向上できるような冷媒パイプとフィンとの配置関係とした熱交換器のその風の当る模様を説明する構造図である。
【００１０】
図１において、１は独身用などとして利用されている小型の冷蔵庫にして、該冷蔵庫１は、塗装鋼板等金属製の外箱２とＡＢＳ等合成樹脂製の内箱３との間に発砲ウレタン等の断熱材４を充填して、前面が開口した断熱箱体５が形成され、該箱体５とともに一体形成される中間の断熱仕切り壁６により、上部に冷凍室７が下部に冷蔵室８が仕切り形成されてなるものである。そして冷凍室７および冷蔵室８の前方開口は、回動式の断熱扉９Ａ、９Ｂによって、開閉自在に閉塞されている。
【００１１】
前記冷凍室７の後部には、仕切り壁１１を介して冷却室１２が画成され、そこには冷却器すなわち熱交換器１３が下部に設置されていると共に、送風機１４が上部に配設されている。また、その冷却室１２は上部に形成した冷気吹出口１５と下部に設けた吸込口１６とにより前記冷凍室７と連通している。
【００１２】
そして、送風機１４が運転されると、冷凍室内空気が冷却室１２に下部から吸い込まれ上方へと風が矢印のように流れ、そして上部の冷気吹出口１５から冷凍室７へと吐出し、再び吸込口１６から冷却室１２に吸い込まれるというように冷気が循環して、冷凍室７が冷却される。
【００１３】
また、冷却室１２から吐出する冷気の一部が、冷気吹出部の近傍から冷蔵室８へと連絡するように断熱箱体５の背壁中に形設した冷蔵室ダクト（図示せず）により導かれ、冷蔵室８の奥部上方で前方と下方に開口する吹出部１７ａ、１７ｂからそれぞれ供給されて、冷蔵室８の冷却が行われる。
【００１４】
そして、冷蔵室８を巡回した冷気は、断熱仕切り壁６中に形成した冷気戻り路１８から冷却室１２に矢印のように戻り、冷凍室７からの戻り冷気と合流して熱交換器１３を通過し、再び冷凍室７および冷蔵室８を循環する。なお、１９は圧縮機であり、また２０は、冷凍室７からのドレンを外部に排出するドレン水路である。
【００１５】
さて、冷却室１２に配される熱交換器１３は、アルミなど金属製薄板から加工形成した多数の長方形状をしたフィン２２と、このフィン２２に直交するように貫通させて、上下方向に蛇行して設けた冷媒パイプ２３とから成る構造をしている。すなわち、フィン２２間を通る風の方向に沿い複数本の冷媒パイプが並んだ構成となっている。
【００１６】
ここで、フィン２２を通風方向に、実施例では上下方向に蛇行しながら貫通させて設けた冷媒パイプ２３は前後２列に配列されている。そして、その通風方向（以下、上下方向と記す）に並ぶ各冷媒パイプ２３は、上下方向に重ならないようにずれて配設されている。
【００１７】
すなわち、図２に示すように、最上段に位置する冷媒パイプ２３ｂの中心ｐと、最下段に位置する冷媒パイプ２３ａの中心ｐとが、フィン２２の奥行き方向（図中、横方向）において、所定寸法ｄの差を持つようにずれて、フィン２２に対して傾いて取付けられている。また、それらの間の中間部に位置する冷媒パイプ２３も、その一つ一つの冷媒パイプの中心ｐが少しずつ、横方向へずれて貫通している。
【００１８】
この結果、通風方向に並ぶ各冷媒パイプ２３の中心ｐを結んだ列線２８Ｈが、従来のようにどの冷媒パイプ２３も重なってしまうといった通風方向と合致（平行）する真っ直ぐな列線２７Ｈではなく、通風方向に対して所定の角度θ分、傾いた列線２８Ｈとなるように、各冷媒パイプ２３がフィン２２に対して傾いて取付けられている。
【００１９】
このようにフィン２２に対して冷媒パイプ２３が、鉛直線的２７Ｈな位置関係となる従来の取付け方に対して、本発明のように、冷媒パイプ２３が通風方向と傾いた列２８Ｈとなるようにフィン２２に対して傾いて取付けられた構造であると、最下段から最上段のどの段の冷媒パイプ２３ａ、２３、２３ｂも、フィン２２の奥行き方向で少しずつずれて上下に重ならないで並ぶため、いずれの冷媒パイプ２３にも風Ｗが良く当るようになる。
【００２０】
この結果、上下に並ぶどの段の冷媒パイプ２３においても、風Ｗが有効に当り、熱交換は均等にかつ良好に行われて、熱交換器全体の熱交換効率を向上させることができる。
【００２１】
また、このようにどの段の冷媒パイプ２３も風Ｗが無駄なく当り、熱交換に有効に作用すると、熱交換器１３への送風量や循環する冷媒流量も少なくても十分な熱交換が得られるようになり、送風能力や冷媒供給能力の小さい小型の送風ファンや圧縮機が使用でき、コストの低減、資源の節約、および省エネ効果を達成できるようになる。
【００２２】
【発明の効果】
以上のように、本発明によれば、冷媒パイプが通風方向に対して重ならない傾いた列を作るように長方形状フィンに対して長手方向一端側から他端側に向かって同一方向に傾斜して取付けられているので、いずれの冷媒パイプにも風が良く当るようになり、従来の通風方向と一致する冷媒パイプ列となっている構造の熱交換器より、熱交換効率を向上することができる。
【００２３】
また、いずれの冷媒パイプにも風が良く当れば、送風量や循環冷媒量が少なくても所要の熱交換能力を得ることが可能となり、そのため小型の送風ファンや圧縮機を用いてもよくなり、コストの低減や、冷媒の節約などが図れ、省エネ効果を担うことができる。
【００２４】
また、熱交換率を高めるのに、冷媒パイプを長方形状フィンに対して長手方向一端側から他端側に向かって同一方向に傾むけて取付けるという僅かの改善で行えるので、大きな構造的変更を施すことなく熱交換効率の高い熱交換器を容易に提供できるようになる。
【図面の簡単な説明】
【図１】本発明の熱交換器を搭載する冷凍冷蔵庫の概略縦断側面図である。
【図２】本発明の風が良く当るようにし熱交換効率を向上することができた熱交換器の構造図である。
【図３】従来構造の熱交換器を示す構造図である。
【符号の説明】
１  冷蔵庫
７  冷凍室
８  冷蔵室
１２  冷却室
１３  熱交換器
１４  送風機
１５  冷気吹出口
１６  冷気吸込口
２２  フィン
２３  冷媒パイプ
２７Ｈ、２８Ｈ  冷媒パイプ列線
θ  冷媒パイプの取付け傾斜角度
ｐ  冷媒パイプの中心
ｗ  風の流れ
【図１】
0003738131.tif 000002
【図２】
0003738131.tif 000003
【図３】
0003738131.tif 000004